(57)【特許請求の範囲】
【請求項１】
電動送風機を内蔵し、この電動送風機に連通する集塵室を内部に設けるとともにこの集塵室と外部とを連通する吸込口を設けた掃除機本体と、前記吸込口に一端部が接続され接続部を有する握り管を他端部に設けたホースと、前記握り管の接続部に着脱自在に接続される本体側接続部を一端部に有するとともに吸込側接続部を他端部に有する延長管と、この延長管の吸込側接続部に着脱自在に接続される接続部を有するとともにブラシおよびこのブラシを駆動する電動機を設けた吸込口体とを備え、前記ホースと延長管とに前記掃除機本体から吸込口体の電動機に給電するコードをそれぞれ内装するとともに、前記握り管、延長管の両端部および吸込口体の各接続部に互いに着脱自在に接続されて前記コードを中継する電気接続部をそれぞれ設け、前記握り管の接続部に前記延長管の本体側接続部の被係止部を係止する係止部を設けるとともに、前記延長管の吸込側接続部には前記吸込口体の接続部の被係止部を係止する係止部を設け、前記握り管の接続部と前記吸込口体の接続部とを挿入可能に構成するとともに、その挿入代を前記握り管の係止部と前記吸込口体の被係止部とが一致せず、かつ前記握り管の接続部の電気接続部と前記吸込口体の電気接続部とが導通可能に接続される範囲に設定した電気掃除機。
【請求項２】
握り管の幅は吸込口体左右幅に比べ短く設定した請求項１記載の電気掃除機。
【請求項３】
握り管および吸込口体の接続部には挿入代を規制する規制部を設けた請求項１または２記載の電気掃除機。
【請求項４】
握り管の接続部内に吸込口体の接続部を挿入接続する構成であって、前記吸込口体の外周部及び／または前記握り管の接続部の内周部に突起を設け、前記突起を挿入代を規制する規制部とした請求項３記載の電気掃除機。
【請求項５】
吸込口体の接続部に延長管側に突出した規制部を形成し、延長管の吸込側接続部には前記規制部が埋没する凹部を設ける一方、握り管の接続部には前記規制部が当接して挿入代を規制した請求項３記載の電気掃除機。
【発明の詳細な説明】
【０００１】
【発明の属する技術分野】
本発明は、電動機により駆動されるブラシを設けた吸込口体を、掃除機本体にホ一スおよび延長管を介して接続することのできる電気掃除機に係り、これらホ一ス、延長管および吸込口体の接続部の構造に関する。
【０００２】
【従来の技術】
従来、この種の電気掃除機では、特公平５−５０９３６号公報に開示された構成が一般的であった。この構成を図８〜図１１を用いて説明する。
【０００３】
１は掃除機本体で、この掃除機本体１の内部には、電動送風機（図示せず）が配設されているとともに、この電動送風機に連通する集塵室（図示せず）が形成されている。また、この掃除機本体１の上面前部には、前記集塵室に臨んで吸込口２が開口形成されている。
【０００４】
６はホ一スで、屈曲自由な蛇腹状のホ一ス体７と、このホ一ス体７の一端部に設けられ前記掃除機本体１の吸込口２に接続された接続管８と、前記ホ一ス体７の他端部に設けられた屈曲した円筒形状の握り管９とからなっている。
【０００５】
握り管９の先端部の内周面には、テーパ外管１０の基端部の外周面が嵌合固定されている。また、前記握り管９の外周面上側には、握り管カバ一体１１が固定され、握り管カバ一体１１に連続するカバ一部１３が形成されている。そして、テーパ外管１０とカバ一体１１の先端部とカバ一部１３とが接続部１４を構成している。コード通路１９は握り管９の外周面とカバー体１１との間に形成され、電動送風機の吸込力を制御する可変抵抗器１５とスイッチ１６はホース体７に埋設されたコードを介して前記掃除機本体１内の制御回路および電源回路にそれぞれ電気的に接続されている。
【０００６】
２１は延長管で、ほぼ円筒形状の主管２２を有し、この主管２２の外周面には軸方向へコード通路２３が一体に形成されている。主管２２の一端部にはテーパ内管２４が形成され、握り管９のテーパ外管１０内に着脱自在に嵌合可能となっている。主管２２の一端部の外周面には本体側カバー体２５が形成され、これらテ一パ内管２４および本体側カバ一体２５が本体側接続部２６を構成している。また、前記主管２２の他端部には握り管９の接続部１４と同一形状に形成した吸込側接続部２９が構成されている。
【０００７】
３１は吸込口体で下面に吸塵口（図示せず）が開口形成され、内部には前記吸塵口に臨んで回転ブラシ３２が回転自在に設けられている。吸込口体３１の後部には前記吸塵口に連通する回転管３７が回動自在に設けられ、この回転管３７の後側すなわち先端側は、延長管２１の本体側接続部２６と同一形状に形成された接続部４０が構成されている。
【０００８】
また、前記握り管９にはコネクタ一４１が内蔵されて電動機３３をオン・オフするスイッチ１６に電気的に接続されている。同様に延長管２１の本体側接続部２６内部にはコネクタ一４３が、吸込側接続部２９内部にはコネクター４１が、吸込口体３１の接続部４０内にはコネクタ一４３が内蔵されていて、握り管９、延長管２１、吸込口体３１を嵌合接続した状態で、電動機３３への給電回路が形成されている。
【０００９】
そして、前記互いに接続される接続部１４、２６、２９、４０には両接続部１４、２６、２９、４０を係止する同一構造の係止装置５１が設けられている。
【００１０】
【発明が解決しようとする課題】
上記の構成の結果、特公平５−５０９３６号公報のものでは、握り管９に直接吸込口体３１を接続して使用することができる。こういう使用は、たとえば、階段であるとか、車の中の掃除であるとか、あるいは家具の上など、握り管９に延長管２１、吸込口体３１を接続した状態（以下、標準状態と呼ぶ）では延長管２１がかえって邪魔になる掃除場所で使用するうえで有用となるが、一方このような掃除場所では吸込口体３１では掃除できない所、たとえば車の中ではダッシュボード周辺、シートの座席部と背もたれ部の境界部分、ボックス部分等々、また階段では隅部や側面等々、また家具の上では色々な物を置いてあることが多いため、握り管９から吸込口体３１を外して直接握り管９から吸引したり、あるいはそれぞれの掃除場所に適した他の吸込具を握り管９に接続し直すことが頻繁に発生する。このようなときには、当然ながら片手で吸込口体３１を持ち、他方の手をそれまで持っていた握り管９のカバー体１１から放し、カバー体１１より前方に位置する係止装置５１部に手を持って行き、係止装置５１を解錠しながら両方の手で吸込口体３１と握り管９を互いに離脱する操作を必要とする。すなわち、吸込口体３１と握り管９との離脱操作性が悪いという課題を有していた。
【００１１】
本発明はこれらの課題を解消するもので、使用性の良好な電気掃除機を提供することを目的とする。
【００１２】
【課題を解決するための手段】
上記課題を解消するために本発明は、電動送風機を内蔵し、この電動送風機に連通する集塵室を内部に設けるとともにこの集塵室と外部とを連通する吸込口を設けた掃除機本体と、前記吸込口に一端部が接続され接続部を有する握り管を他端部に設けたホースと、前記握り管の接続部に着脱自在に接続される本体側接続部を一端部に有するとともに吸込側接続部を他端部に有する延長管と、この延長管の吸込側接続部に着脱自在に接続される接続部を有するとともにブラシおよびこのブラシを駆動する電動機を設けた吸込口体とを備え、前記ホースと延長管とに前記掃除機本体から吸込口体の電動機に給電するコードをそれぞれ内装するとともに、前記握り管、延長管の両端部および吸込口体の各接続部に互いに着脱自在に接続されて前記コードを中継する電気接続部をそれぞれ設け、前記握り管の接続部に前記延長管の本体側接続部の被係止部を係止する係止部を設けるとともに、前記延長管の吸込側接続部には前記吸込口体の接続部の被係止部を係止する係止部を設け、前記握り管の接続部と前記吸込口体の接続部とを挿入可能に構成するとともに、その挿入代を前記握り管の係止部と前記吸込口体の被係止部とが一致せず、かつ前記握り管の接続部の電気接続部と前記吸込口体の電気接続部とが導通可能に接続される範囲に設定するもので、握り管に直接吸込口体を接続して使用する際では、握り管の係止部と吸込口体の被係止部とは一致せず、且つ同時に握り管の接続部の電気接続部と前記吸込口体の電気接続部とが導通可能に嵌合接続するため、吸込口体を従来通りに使用できる一方、吸込口体を外して直接握り管の先から吸引したり、あるいは他の吸込具を接続するときには、握り管を持っていた手はそのままで、他方の手で吸込口体をもってそれぞれを引き離すだけで離脱でき、使い勝手が向上するものである。
【００１３】
【発明の実施の形態】
本発明の請求項１記載の発明は、電動送風機を内蔵し、この電動送風機に連通する集塵室を内部に設けるとともにこの集塵室と外部とを連通する吸込口を設けた掃除機本体と、前記吸込口に一端部が接続され接続部を有する握り管を他端部に設けたホースと、前記握り管の接続部に着脱自在に接続される本体側接続部を一端部に有するとともに吸込側接続部を他端部に有する延長管と、この延長管の吸込側接続部に着脱自在に接続される接続部を有するとともにブラシおよびこのブラシを駆動する電動機を設けた吸込口体とを備え、前記ホースと延長管とに前記掃除機本体から吸込口体の電動機に給電するコードをそれぞれ内装するとともに、前記握り管、延長管の両端部および吸込口体の各接続部に互いに着脱自在に接続されて前記コードを中継する電気接続部をそれぞれ設け、前記握り管の接続部に前記延長管の本体側接続部の被係止部を係止する係止部を設けるとともに、前記延長管の吸込側接続部には前記吸込口体の接続部の被係止部を係止する係止部を設け、前記握り管の接続部と前記吸込口体の接続部とを挿入可能に構成するとともに、その挿入代を前記握り管の係止部と前記吸込口体の被係止部とが一致せず、かつ前記握り管の接続部の電気接続部と前記吸込口体の電気接続部とが導通可能に接続される範囲に設定するもので、握り管に直接吸込口体を接続して使用する際では、握り管の係止部と吸込口体の被係止部とは一致せず、且つ同時に握り管の接続部の電気接続部と前記吸込口体の電気接続部とが導通可能に嵌合接続するため、吸込口体を従来通りに使用できる一方、吸込口体を外して直接握り管の先から吸引したり、あるいは他の吸込具を接続するときには、握り管を持っていた手はそのままで、他方の手で吸込口体をもってそれぞれを引き離すだけで離脱でき、使い勝手が向上する。
【００１４】
本発明の請求項２記載の発明は、握り管の幅は吸込口体左右幅に比べ短く設定するものである。
【００１５】
本発明の請求項３記載の発明は、握り管および吸込口体の接続部には挿入代を規制する規制部を設けるもので、吸込口体を直接握り管に挿入して使用するとき、使用中に吸込口体が掃除場所周囲に当たって、当初の挿入時より握り管に深く差し込まれ、外せなくなることを防止できる。
【００１６】
本発明の請求項４記載の発明は、握り管の接続部内に吸込口体の接続部を挿入接続する構成であって、前記吸込口体の外周部及び／または前記握り管の接続部の内周部に突起を設け、前記突起を挿入代を規制する規制部とすることによって、突起により握り管と吸込口体の接続を確実にするとともに、この突起を挿入代規制部とすることで、握り管と吸込口体の離脱力を所定値以下に保持するものである。
【００１７】
本発明の請求項５記載の発明は、吸込口体の接続部に延長管側に突出した規制部を形成し、延長管の吸込側接続部には前記規制部が埋没する凹部を設ける一方、握り管の接続部には前記規制部が当接して挿入代を規制するよう構成するもので、標準状態での使用は従来通りとし、吸込口体を握り管に接続する際には、所定以上の挿入を防止し、使い勝手の良さを維持できるものである。
【００１８】
【実施例】
（実施例１）
以下本発明の第１の実施例を図１〜図７により説明する。なお、従来例と同一部分については、同一符号を付して、その説明を省略する。
【００１９】
１は掃除機本体で、内部には電動送風機（図示せず）やコード巻き取り装置（図示せず）が配設されているとともに、この電動送風機に連通する集塵室（図示せず）が形成されている。また、この掃除機本体１の前部には、前記集塵室に臨んで吸込口２が開口形成されている。
【００２０】
６はホ一スで、屈曲自由な蛇腹状のホ一ス体７と、このホ一ス体７の一端部に設けられ前記掃除機本体１の吸込口２に接続された接続管８と、前記ホ一ス体７の他端部に接続された握り管９とからなっている。
【００２１】
握り管９は、図２に示すように一端側がホース体７に連通して略くの字状に折曲するホース管５０を有し、ホース管５０の上方を握り管カバー体１１が覆っている。この握り管カバー体１１はホース管５０の折曲部近傍から本体１側に向かうにしたがって上方に延び、ホース管５０と分岐して把手５１を形成する。握り管カバ一体１１の前方（延長管２１側）とホース管５０との間には尾錠Ａ５７が揺動自在に挟持されている。尾錠Ａ５７の一端にはフック部Ａ５３が設けられ、他端側のバネ５２によりフック部Ａ５３が尾錠孔Ａ５４からホース管５０内に突出するように付勢される。尾錠Ａ５７の他端には操作釦Ａ５６が設けられ、握り管カバ一体１１に形成した操作口Ａ５５を介して操作釦Ａ５６を指で押圧操作できる。また握り管カバ一体１１の後方上面には電動送風機や吸込口体３１内の電動機３３の運転制御を行うためのスイッチ１６の操作部が設けられている。また尾錠孔Ａ５４のすぐ後方のホース管５０の一部には係止孔５８が形成されている。
【００２２】
２１は延長管で、握り管９に接続した状態を図３に示す。図に示すようにホース管５０に連通する主管２２の上方には、吸込口体３１に内蔵された電動機３３への給電を行う給電体Ａ５９を保持する延長管カバー体６０を固定している。また、図４に示すように、吸込口体３１側で延長管カバー体６０と主管２２との間で揺動自在に尾錠Ｂ６５が挟持されている。尾錠Ｂ６５の一端にはフック部Ｂ６１が設けられ、他端側のバネ５２によりフック部Ｂ６１が尾錠孔Ｂ６２から主管２２内に突出するように付勢されている。尾錠Ｂ６５の他端には操作釦Ｂ６４が設けられ、延長管カバー体６０に形成した操作口Ｂ６３を介して操作釦Ｂ６４を指で押圧操作できる。主管２２の握り管９側端部は、図３に示すように、ホース管５０内に挿入可能で、延長管カバー体６０の後端がホース管５０の上部前壁に当接する直前に、フック部Ａ５３が主管２２の後端側に設けた係止凹部Ａ６６に係合し、延長管２１が握り管９に接続係止される。このとき、図６に示すように、給電体Ａ５９の握り管９側端部に設けられ、延長管カバー体６０と主管２２に挟持された一対の凸端子６７が、ホース管５０と握り管カバ一体１１に挟持された一対の凹端子６８に圧接して、スイッチ１６から電動機３３への給電回路を形成する。
【００２３】
図７に示すように、吸込口体３１の床面側には吸込開口６９が設けられ、この吸込開口６９に臨むように電動機３３で回転駆動されるブラシ体７０が内蔵されている。後方には吸込開口６９に連通する回転管３７が回動自在に設けられている。回転管３７は吸込口体３１に上下方向回動自在に保持されたパイプＡ７１と、パイプＡ７１の軸回りに回動自在に取り付けられたパイプＢ７２と、この上部に固定されるパイプカバー７３と給電体Ｂ７４とからなり、先端側の吸込体接続部７５は延長管２１の主管２２と、握り管９のホース管５０内に挿入可能に形成されている（図２、図４参照）。７６はパイプカバー７３の延長管２１側端部に設けた突リブで、主管２２の吸込口体３１側端面には図４に示すように突リブ７６に対向して凹部７７が形成されている。
【００２４】
吸込体接続部７５を主管２１内に挿入して行くと、図４に示すように、パイプカバー７３の延長管２１側端面が延長管カバー体６０の前端面に当接する直前にフック部Ｂ６１が吸込体接続部７５に形成した係止凹部Ｂ７８に係合し、吸込口体３１と延長管２１が接続係止できる。このとき、突リブ７６は凹部７７内に入り込んだ状態となっている。また、図５に示すように、延長管カバー体６０と主管２２に挟持された一対の凹端子６８と、電動機３３に結線されパイプＢ７２とパイプカバー７３に挟持された一対の凸端子６７とが圧接して、電動機３３への給電回路を形成する。
【００２５】
延長管２１と吸込口体３１を外す時には、一方の手で吸込口体３１の回転管３７を持ち、他方の手で延長管２１の先端部を持ちながら指先で操作釦Ｂ６４を主管２２側に押し、バネ５２の付勢力に抗ってフック部Ｂ６１と係止凹部Ｂ７８との係合を解き、両者を互いに引き離すことによって外す。
【００２６】
次に、握り管９と吸込口体３１との着脱について説明する。
【００２７】
吸込体接続部７５をホース管５０内に挿入して行くと、パイプカバー７３の突リブ７６がホース管５０前端面に当接する。このとき、同時に係止凹部Ｂ７８の握り管９側に設けた凸ボス７９が、係止孔５８に嵌入する（図２、図５参照）。そして吸込口体３１の凸端子６７は握り管９の凹端子６８に圧接状態となり、スイッチ１６の操作で電動機３３の運転停止を制御可能となる。なお、このときには尾錠Ａ５７のフック部Ａ５３は、係止凹部Ｂ７８に係止していない状態となっている。
【００２８】
握り管９から吸込口体３１を外すときは、それまでの使用で把手５１を握り持っていた手はそのままで、もう一方の手で吸込口体３１を持ち、両者を引き離す方向に力を入れると、凸ボス７９が係止孔５８から抜け外れて両者が離脱する。なお、図１からも解るように、握り管９の幅は吸込口体３１の幅より小さく形成してある。
【００２９】
次に上記構成による作用を説明する。
【００３０】
標準状態で本電気掃除機を使用する時には、吸込口体３１と延長管２１ならびに握り管９との接続は、延長管２１と握り管９に設けた尾錠Ｂ６５と尾錠Ａ５７が、吸込口体３１の係止凹部Ｂ７８と延長管２１の係止凹部Ａ６６にそれぞれ係合して行われているため、使用途中に外れることなく確実に使用できる。
【００３１】
一方、階段や車中の掃除など、延長管２１を外して直接握り管９に吸込口体３１を接続して使用するときには、凸ボス７９が係止孔５８に嵌入した、尾錠Ａ５７による係止に比較して（脱力の小さい）軽い係合状態とはなるが、電動機３３の運転・停止制御はできる形態で使用し、支障なく掃除ができる。
【００３２】
そして、吸込口体３１では清掃が困難な所、すなわち凹凸のある部分や幅の狭い場所を清掃するときは、それまでの使用で把手５１を握り持っていた手はそのままで、もう一方の手で吸込口体３１を持って両者を引き離す方向に力を入れ、吸込口体３１を抜き外した状態で使用したり、あるいはその掃除場所に適した別の吸込具を接続し直して掃除する。
【００３３】
したがってこの操作時には、従来のように握り管９から吸込口体３１を外す時に把手５１を持っていた手を尾錠Ａ５７部へ持ち直し、解錠のために操作釦Ａ５６を押すという手数を不要とし、使い勝手が向上する。特に吸込口体３１の着脱を頻繁に起こす狭い掃除空間の場所では、非常に効果を発揮する。
【００３４】
また、握り管９に吸込口体３１を直接接続した状態では、図２に示すように、突リブ７６がホース管５０の前面に当接しているため、使用中に吸込口体３１の前面が掃除場所の周囲に衝突して、当初の挿入時より握り管９に深く差し込まれ、離脱するときの脱力が大きくなったり、外せなくなってしまうことを防止できる。
【００３５】
上記の実施例では、突リブ７６をパイプカバー７３に設け、この突リブ７６で吸込口体３１の吸込体接続部７５の握り管９内への挿入代を規制する手段としたが、前記吸込体接続部７５外周部および／または前記握り管９のホース管５０の内周部に突起を設け、これらの突起を挿入代を規制する規制部とすることによっても同様の効果は得られ、要は前記挿入代が維持できれば良いものである。
以上説明したように本実施例では以下の効果を得る。
【００３６】
１．握り管９に直接吸込口体３１を接続して使用する際、握り管９の尾錠Ａ５７（係止部）と吸込口体３１の係止凹部Ｂ７８（被係止部）とは一致せず、且つ同時に握り管９の接続部の電気接続部と前記吸込口体３１の電気接続部とが導通可能に嵌合接続するため、吸込口体３１を従来通りブラシ体７０の駆動・停止を握り管９の手元のスイッチ１６の操作で電動機３３の運転・停止を制御して使用できる。また、吸込口体３１を外して直接握り管９の先から吸引したり、あるいは他の吸込具を接続するときには、握り管９を持っていた手はそのままで、もう一方の手で吸込口体３１を持ち、それぞれを引き離すだけで離脱できる結果、操作手数が減って使い勝手が向上する。
【００３７】
２．当然ながら、握り管９に延長管２１、吸込口体３１をそれぞれ接続した状態では、それぞれの係止装置（尾錠Ａ５７と係止凹部Ａ６６、尾錠Ｂ６４と係止凹部Ｂ７８）による確実な係合を維持することができる。
【００３８】
特に、握り管９の幅より吸込口体３１の左右幅が大きい場合には、吸込口体３１の左右のいずれかの端部に壁が衝突した場合、その衝撃により握り管９から吸込口体３１が外れるのを確実に防止できる。
【００３９】
【発明の効果】
本発明の請求項１記載の発明では、握り管から吸込口体を離脱する操作が容易であり、使い勝手を向上できる。
【００４０】
本発明の請求項２記載の発明では、前後幅に比べ左右幅が大きい吸込口体においても係止が確実となる。
【００４１】
本発明の請求項３記載の発明では、握り管および吸込口体の接続部には挿入代を規制する規制部を設けることにより、吸込口体を直接握り管に挿入して使用する場合に、離脱するときの脱力が大きくなったり外せなくなってしまうことを防止できる。
【００４２】
本発明の請求項４記載の発明では、吸込口体の外周部および／または握り管の接続部の内周部に突起を設け、前記突起を挿入代を規制する規制部とすることによって、握り管と吸込口体の離脱力を所定値以下にするとともに、突起による握り管と吸込口体の係合接続を確実にでき、より使用性の向上を得られる。
【００４３】
本発明の請求項５記載の発明では、吸込口体の接続部に延長管側に突出した規制部を形成し、延長管の吸込側接続部には前記規制部が埋没する凹部を設ける一方、握り管の接続部には前記規制部が当接して挿入代を規制するよう構成することにより、標準状態での使用は従来通りとし、吸込口体を直接握り管に接続する際には、前述のごとく所定以上の挿入を防止して、総合的な使用性の向上を得られるものである。
【図面の簡単な説明】
【図１】本発明の第１の実施例を示す電気掃除機の全体図
【図２】同吸込口体を握り管に接続した状態での縦断面図
【図３】同延長管を握り管に接続した状態での縦断面図
【図４】同吸込口体を延長管に接続した状態での縦断面図
【図５】同吸込口体を握り管に接続する前の上面図
【図６】同吸込口体を延長管に接続した状態での一部を切り欠いた上面図
【図７】同吸込口体の縦断面図
【図８】従来の電気掃除機の全体図
【図９】同吸込口体の一部破断側面図
【図１０】同延長管の縦断面図
【図１１】同握り管の縦断面図
【符号の説明】
９  握り管
３１  吸込口体
５０  ホース管
５３  フック部Ａ
５７  尾錠Ａ
５８  係止孔
７５  吸込体接続部
７８  係止凹部Ｂ
７９  凸ボス
【図１】
0004147674.tif 000002
【図２】
0004147674.tif 000003
【図３】
0004147674.tif 000004
【図４】
0004147674.tif 000005
【図５】
0004147674.tif 000006
【図６】
0004147674.tif 000007
【図７】
0004147674.tif 000008
【図８】
0004147674.tif 000009
【図９】
0004147674.tif 000010
【図１０】
0004147674.tif 000011
【図１１】
0004147674.tif 000012